(57)【要約】  ネットワークノード（９００）と通信する無線端末（８００）を動作させる方法が提供される。方法は、ネットワークノード（９００）から物理ダウンリンク制御チャネル（ＰＤＣＣＨ）オーダを受信（１００１）することを含み得る。ＰＤＣＣＨオーダは、ランダムアクセスチャネル（ＲＡＣＨ）メッセージ１プリアンブル送信に使用されるＲＡＣＨ機会の識別を含み得る。さらに、識別は、ＲＡＣＨ機会のセットを示す第１インデックスと、セットに関連付けられたＲＡＣＨ機会を示す第２インデックスと、を含み得る。方法は、ＰＤＣＣＨオーダに応答して、ＲＡＣＨ機会を使用してメッセージ１プリアンブルをネットワークノード（９００）に送信することも含み得る。
2021520672.tif 000002
【特許請求の範囲】
【請求項１】
ネットワークノード（９００）と通信する無線端末（８００）を動作させる方法であって、
物理ダウンリンク制御チャネル（ＰＤＣＣＨ）オーダを前記ネットワークノード（９００）から受信（１００１）することであって、前記ＰＤＣＣＨオーダは、ランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記受信（１００１）することと、
前記ＰＤＣＣＨオーダに応答して、前記ＲＡＣＨ機会を使用してメッセージ１プリアンブルを前記ネットワークノード（９００）に送信（１００３）することと、
を含む、方法。
【請求項２】
請求項１に記載の方法であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、方法。
【請求項３】
請求項２に記載の方法であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、方法。
【請求項４】
請求項１から３のいずれか１項に記載の方法であって、
前記識別は、前記ＰＤＣＣＨオーダを介して搬送されるダウンリンク制御情報（ＤＣＩ）で提供される、方法。
【請求項５】
請求項１から４のいずれか１項に記載の方法であって、
前記メッセージ１プリアンブルは、ランダムアクセス手順のために送信され、
前記方法は、さらに、前記メッセージ１プリアンブルを送信した後、前記ランダムアクセス手順のメッセージ２ランダムアクセス応答を前記ネットワークノード（９００）から受信（１００５）することを含む、方法。
【請求項６】
請求項５に記載の方法であって、さらに、
前記メッセージ２ランダムアクセス応答を受信することに応答して、アップリンクチャネルで前記ランダムアクセス手順のためのメッセージ３を前記ネットワークノード（９００）に送信（１００７）することを含む、方法。
【請求項７】
請求項１から６のいずれか１項に記載の方法であって、
前記メッセージ１プリアンブルは、前記第１インデクス及び前記第２インデクスにより示される前記ＲＡＣＨ機会を使用して送信される、方法。
【請求項８】
請求項１から７のいずれか１項に記載の方法であって、
前記第１インデクスは、ＲＡＣＨ構成期間内の複数の時間リソースの内の時間リソースを示す、方法。
【請求項９】
無線端末（８００）と通信するネットワークノード（９００）を動作させる方法であって、
物理ダウンリンク制御チャネル（ＰＤＣＣＨ）オーダを前記無線端末（８００）に送信（１１０１）することであって、前記ＰＤＣＣＨオーダは、前記無線端末からのランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記送信（１１０１）することと、
前記無線端末（８００）から前記ＲＡＣＨ機会を使用するメッセージ１プリアンブルを受信（１１０３）することと、
を含む方法。
【請求項１０】
請求項９に記載の方法であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、方法。
【請求項１１】
請求項１０に記載の方法であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、方法。
【請求項１２】
請求項９から１１のいずれか１項に記載の方法であって、
前記識別は、前記ＰＤＣＣＨオーダを介して搬送されるダウンリンク制御情報（ＤＣＩ）で提供される、方法。
【請求項１３】
請求項９から１２のいずれか１項に記載の方法であって、
前記メッセージ１プリアンブルは、ランダムアクセス手順のために受信され、
前記方法は、さらに、前記メッセージ１プリアンブルを受信することに応答して、前記ランダムアクセス手順のメッセージ２ランダムアクセス応答を前記無線端末（８００）に送信（１１０５）することを含む、方法。
【請求項１４】
請求項１３に記載の方法であって、さらに、
前記メッセージ２ランダムアクセス応答を送信した後、アップリンクチャネルで前記ランダムアクセス手順のためのメッセージ３を前記無線端末（８００）から受信（１１０７）することを含む、方法。
【請求項１５】
請求項９から１４のいずれか１項に記載の方法であって、
前記メッセージ１プリアンブルは、前記第１インデクス及び前記第２インデクスにより示される前記ＲＡＣＨ機会を使用して受信される、方法。
【請求項１６】
請求項９から１５のいずれか１項に記載の方法であって、
前記第１インデクスは、ＲＡＣＨ構成期間内の複数の時間リソースの内の時間リソースを示す、方法。
【請求項１７】
ネットワークノード（９００）と通信する様に構成された無線端末（８００）であって、
物理ダウンリンク制御チャネル（ＰＤＣＣＨ）オーダを前記ネットワークノード（９００）から受信することであって、前記ＰＤＣＣＨオーダは、ランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記受信することと、
前記ＰＤＣＣＨオーダに応答して、前記ＲＡＣＨ機会を使用してメッセージ１プリアンブルを前記ネットワークノード（９００）に送信することと、
を実行する様に構成されている、無線端末。
【請求項１８】
請求項１７に記載の無線端末（８００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、無線端末。
【請求項１９】
請求項１８に記載の無線端末（８００）であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、無線端末。
【請求項２０】
請求項１７から１９のいずれか１項に記載の無線端末（８００）であって、
前記識別は、前記ＰＤＣＣＨオーダを介して搬送されるダウンリンク制御情報（ＤＣＩ）で提供される、無線端末。
【請求項２１】
請求項１７から２０のいずれか１項に記載の無線端末（８００）であって、
前記メッセージ１プリアンブルは、ランダムアクセス手順のために送信され、
前記無線端末（８００）は、さらに、前記メッセージ１プリアンブルを送信した後、前記ランダムアクセス手順のメッセージ２ランダムアクセス応答を前記ネットワークノード（９００）から受信する様に構成される、無線端末。
【請求項２２】
請求項２１に記載の無線端末（８００）であって、さらに、
前記メッセージ２ランダムアクセス応答を受信することに応答して、アップリンクチャネルで前記ランダムアクセス手順のためのメッセージ３を前記ネットワークノード（９００）に送信することを含む、無線端末。
【請求項２３】
請求項１７から２２のいずれか１項に記載の無線端末（８００）であって、
前記メッセージ１プリアンブルは、前記第１インデクス及び前記第２インデクスにより示される前記ＲＡＣＨ機会を使用して送信される、無線端末。
【請求項２４】
請求項１７から２３のいずれか１項に記載の無線端末（１００）であって、
前記第１インデクスは、ＲＡＣＨ構成期間内の複数の時間リソースの内の時間リソースを示す、無線端末。
【請求項２５】
無線端末（８００）と通信する様に構成されたネットワークノード（９００）であって、
物理ダウンリンク制御チャネル（ＰＤＣＣＨ）オーダを前記無線端末（８００）に送信することであって、前記ＰＤＣＣＨオーダは、前記無線端末からのランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記送信することと、
前記無線端末（８００）から前記ＲＡＣＨ機会を使用するメッセージ１プリアンブルを受信することと、
を実行する様に構成される、ネットワークノード。
【請求項２６】
請求項２５に記載のネットワークノード（９００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、ネットワークノード。
【請求項２７】
請求項２６に記載のネットワークノード（９００）であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、ネットワークノード。
【請求項２８】
請求項２５から２７のいずれか１項に記載のネットワークノード（９００）であって、
前記識別は、前記ＰＤＣＣＨオーダを介して搬送されるダウンリンク制御情報（ＤＣＩ）で提供される、ネットワークノード。
【請求項２９】
請求項２５から２８のいずれか１項に記載のネットワークノード（９００）であって、
前記メッセージ１プリアンブルは、ランダムアクセス手順のために受信され、
前記ネットワークノード（９００）は、さらに、前記メッセージ１プリアンブルを受信することに応答して、前記ランダムアクセス手順のメッセージ２ランダムアクセス応答を前記無線端末（８００）に送信する様に構成される、ネットワークノード。
【請求項３０】
請求項２９に記載のネットワークノード（９００）であって、さらに
前記メッセージ２ランダムアクセス応答を送信した後、アップリンクチャネルで前記ランダムアクセス手順のためのメッセージ３を前記無線端末（８００）から受信する様に構成される、ネットワークノード。
【請求項３１】
請求項２５から３０のいずれか１項に記載のネットワークノード（９００）であって、
前記メッセージ１プリアンブルは、前記第１インデクス及び前記第２インデクスにより示される前記ＲＡＣＨ機会を使用して受信される、ネットワークノード。
【請求項３２】
請求項２５から３１のいずれか１項に記載のネットワークノード（９００）であって、
前記第１インデクスは、ＲＡＣＨ構成期間内の複数の時間リソースの内の時間リソースを示す、ネットワークノード。
【請求項３３】
ネットワークノード（９００）と通信する様に構成された無線端末（８００）であって、
無線通信ネットワークの前記ネットワークノード（９００）との無線通信を提供する様に構成されたトランシーバ（８０１）と、
前記トランシーバと結合されたプロセッサ回路（８０３）と、
を備え、
前記プロセッサ回路は、前記トランシーバを介して前記無線通信ネットワークとの無線通信を提供する様に構成され、
前記プロセッサ回路は、さらに、
物理ダウンリンク制御チャネル（ＰＤＣＣＨ）オーダを前記ネットワークノード（９００）から受信することであって、前記ＰＤＣＣＨオーダは、ランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記受信することと、
前記ＰＤＣＣＨオーダに応答して、前記ＲＡＣＨ機会を使用してメッセージ１プリアンブルを前記ネットワークノード（９００）に送信することと、
を実行する様に構成されている、無線端末。
【請求項３４】
請求項３３に記載の無線端末（８００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、無線端末。
【請求項３５】
請求項３４に記載の無線端末（８００）であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、無線端末。
【請求項３６】
請求項３３から３５のいずれか１項に記載の無線端末（８００）であって、
前記識別は、前記ＰＤＣＣＨオーダを介して搬送されるダウンリンク制御情報（ＤＣＩ）で提供される、無線端末。
【請求項３７】
請求項３３から３６のいずれか１項に記載の無線端末（８００）であって、
前記メッセージ１プリアンブルは、ランダムアクセス手順のために送信され、
前記プロセッサ回路は、さらに、前記メッセージ１プリアンブルを送信した後、前記ランダムアクセス手順のメッセージ２ランダムアクセス応答を前記ネットワークノード（９００）から受信する様に構成される、無線端末。
【請求項３８】
請求項３７に記載の無線端末（８００）であって、
前記プロセッサ回路は、さらに、前記メッセージ２ランダムアクセス応答を受信することに応答して、アップリンクチャネルで前記ランダムアクセス手順のためのメッセージ３を前記ネットワークノード（９００）に送信する様に構成される、無線端末。
【請求項３９】
請求項３３から３８のいずれか１項に記載の無線端末（８００）であって、
前記メッセージ１プリアンブルは、前記第１インデクス及び前記第２インデクスにより示される前記ＲＡＣＨ機会を使用して送信される、無線端末。
【請求項４０】
請求項３３から３９のいずれか１項に記載の無線端末（８００）であって、
前記第１インデクスは、ＲＡＣＨ構成期間内の複数の時間リソースの内の時間リソースを示す、無線端末。
【請求項４１】
無線端末（８００）と通信する様に構成されたネットワークノード（９００）であって、
無線端末との無線通信を提供する様に構成されたトランシーバ（９０１）と、
前記トランシーバと結合されたプロセッサ回路（９０３）と、
を備え、
前記プロセッサ回路は、前記トランシーバを介して無線端末との無線通信を提供する様に構成され、
前記プロセッサ回路は、さらに、
物理ダウンリンク制御チャネル（ＰＤＣＣＨ）オーダを前記無線端末（８００）に送信することであって、前記ＰＤＣＣＨオーダは、前記無線端末からのランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記送信することと、
前記無線端末（８００）から前記ＲＡＣＨ機会を使用するメッセージ１プリアンブルを受信することと、
を実行する様に構成される、ネットワークノード。
【請求項４２】
請求項４１に記載のネットワークノード（９００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、ネットワークノード。
【請求項４３】
請求項４２に記載のネットワークノード（９００）であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、ネットワークノード。
【請求項４４】
請求項４１から４３のいずれか１項に記載のネットワークノード（９００）であって、
前記識別は、前記ＰＤＣＣＨオーダを介して搬送されるダウンリンク制御情報（ＤＣＩ）で提供される、ネットワークノード。
【請求項４５】
請求項４１から４４のいずれか１項に記載のネットワークノード（９００）であって、
前記メッセージ１プリアンブルは、ランダムアクセス手順のために受信され、
前記ネットワークノード（９００）は、さらに、前記メッセージ１プリアンブルを受信することに応答して、前記ランダムアクセス手順のメッセージ２ランダムアクセス応答を前記無線端末（８００）に送信する様に構成される、ネットワークノード。
【請求項４６】
請求項４５に記載のネットワークノード（９００）であって、
前記メッセージ２ランダムアクセス応答を送信した後、アップリンクチャネルで前記ランダムアクセス手順のためのメッセージ３を前記無線端末（８００）から受信する様に構成される、ネットワークノード。
【請求項４７】
請求項４１から４６のいずれか１項に記載のネットワークノード（９００）であって、
前記メッセージ１プリアンブルは、前記第１インデクス及び前記第２インデクスにより示される前記ＲＡＣＨ機会を使用して受信される、ネットワークノード。
【請求項４８】
請求項４１から４７のいずれか１項に記載のネットワークノード（９００）であって、
前記第１インデクスは、ＲＡＣＨ構成期間内の複数の時間リソースの内の時間リソースを示す、ネットワークノード。
【発明の詳細な説明】
【技術分野】
【０００１】
本開示は、通信に関し、より詳細には、無線通信並びに関連する無線端末及びネットワークノードに関する。
【背景技術】
【０００２】
ランダムアクセス（ＲＡ）手順は、セルラシステムの重要な機能である。ＬＴＥにおいて、ネットワークにアクセスしたい無線端末（ＵＥ）は、アップリンクの物理ランダムアクセスチャネル（ＰＲＡＣＨ）でプリアンブル（Ｍｓｇ１）を送信することにより、ランダムアクセス手順を開始する。プリアンブルを受信し、ランダムアクセス試行を検出するｇＮＢ（次世代ノードＢ又はＴＲＰ（送受信ポイント、つまり、基地局、アクセスノード等）は、ダウンリンクでランダムアクセス応答（ＲＡＲ、Ｍｓｇ２）を送信することによって応答する。ＲＡＲは、ＵＥが端末識別のためにアップリンクで後続のメッセージ（Ｍｓｇ３又はメッセージ３）を送信することにより手順を継続するためのアップリンクスケジューリング許可を搬送する。図１に示す様に、ニューレディオ（ＮＲ）についても同様の手順が想定されている。
【０００３】
ＰＲＡＣＨプリアンブルの送信前に、ＵＥは、ブロック１０１で、ＳＳブロック（例えば、ＮＲ−ＰＳＳ、ＮＲ−ＳＳＳ、ＮＲ−ＰＢＣＨ）のブロードキャストチャネルで同期信号のセットと構成パラメータの両方を受信し、さらに別のチャネルで受信した構成パラメータで補完する。
【０００４】
図１は、ＮＲの４ステップの初期アクセス手順を示している。ブロック１０１で、基地局（ｇＮＢ）は、ＮＲ−ＰＳＳ、ＮＲ−ＳＳＳ及びＮＲ−ＰＢＣＨを含むＳＳ／ＰＢＣＨブロックを送信し、ブロック１０３で、基地局（ｇＮＢ）は、ＲＭＳＩ（残りの最小システム情報）及びＯＳＩ（その他のシステム情報）を含むブロードキャストシステム情報を送信し得る。ブロック１０５で、無線端末（ＵＥ）は、ＮＲ−ＰＲＡＣＨ（ニューレディオ物理ランダムアクセスチャネル）プリアンブルを送信し、ブロック１０７で、基地局（ｇＮＢ）は、ＮＲ−ＰＲＡＣＨプリアンブルに応答してＮＲ−ＲＡＲ（ニューレディオランダムアクセス応答）を送信し得る。ブロック１０９で、無線端末（ＵＥ）は、ＮＲ−ＲＡＲによって示されたリソースを使用してＮＲ−ＰＵＳＣＨ（ニューレディオ物理アップリンク共有チャネル）で送信し、ブロック１１１で、基地局（ｇＮＢ）は、ＣＲＭ（競合解決メッセージ）を送信し得る。
【０００５】
ランダムアクセス手順は、例えば、ＵＬタイムアライメントが失われたときにダウンリンク（ＤＬ）データ送信の前にアップリンク（ＵＬ）を同期してＨＡＲＱ（ハイブリッド自動再送要求）フィードバックの送信を可能するために、ネットワークによって開始される物理ダウンリンク制御チャネル（ＰＤＣＣＨ）オーダによって開始され得る。ＰＤＣＣＨオーダによるランダムアクセス手順はまた、プライマリセルとセカンダリセルとの間のタイミングアドバンスアライメントの位置決め及び取得のために使用され得る。
【０００６】
ＬＴＥにおいて、ＰＤＣＣＨオーダによって開始されるランダムアクセス手順は、ダウンリンク制御情報（ＤＣＩ）フォーマット１Ａを使用することによりサポートされている。３ＧＰＰ  ＴＳ３６．２１２  ｖ１４．１．１（セクション５．３．３．１．３）によると、ＰＤＣＣＨオーダによって開始されるランダムアクセス手順でＤＣＩフォーマット１Ａが使用される場合、ＤＣＩフォーマット１Ａによって以下の情報が送信される。
−キャリアインジケータ、０又は３ビット。このフィールドは、［３］の定義に従って存在する。
−フォーマット０／フォーマット１Ａ区別フラグ、又は、フォーマット０Ａ／フォーマット１Ａ区別フラグ、１ビット。値０はフォーマット０又はフォーマット０Ａを示し、値１はフォーマット１Ａを示す。
−局所／分散ＶＲＢ割り当てフラグ、１ビットが"０"に設定される。
−リソースブロックの割り当て、
【０００７】
【数１】
2021520672.tif 000003
総てのビットが１に設定される。
−プリアンブルインデクス、６ビット
−ＰＲＡＣＨマスクインデクス、４ビット
−１つのＰＤＳＣＨコードワードのコンパクトスケジューリング割り当て用のフォーマット１Ａの残りのすべてのビットはゼロに設定される。
【発明の概要】
【発明が解決しようとする課題】
【０００８】
レイヤ１のランダムアクセス手順は、プリアンブルフォーマット、周波数リソース等のＰＲＡＣＨ送信パラメータを構成する上位レイヤによるＰＲＡＣＨ送信の要求時にトリガされる。
【０００９】
ＬＴＥにおいて、ＰＤＣＣＨオーダを介して搬送されるＤＣＩ内のシグナリングされたプリアンブルインデクスは、ＰＲＡＣＨ送信に使用するプリアンブルをＵＥに直接的に通知する。また、ＤＣＩのＰＲＡＣＨマスクインデクスは、ＰＲＡＣＨ送信に使用される時間リソースを示す。ただし、ＬＴＥのランダムアクセスのためのメカニズムは、ニューレディオ（ＮＲ）では機能し得ない。
【課題を解決するための手段】
【００１０】
本発明の概念の幾つかの実施形態によると、基地局と通信する無線端末を動作させる方法が提供され得る。方法は、ネットワークノードから物理ダウンリンク制御チャネル（ＰＤＣＣＨ）オーダを受信することを含み、ＰＤＣＣＨオーダは、ランダムアクセスチャネル（ＲＡＣＨ）メッセージ１プリアンブル送信に使用されるＲＡＣＨ機会の識別を含む。識別は、ＲＡＣＨ機会のセットを示す第１インデクスと、セットに関連付けられたＲＡＣＨ機会を示す第２インデクスと、を含み得る。さらに、方法は、ＰＤＣＣＨオーダに応答して、ＲＡＣＨ機会を使用して、メッセージ１プリアンブルをネットワークノードに送信することを含み得る。
【００１１】
本発明の概念の幾つかの他の実施形態によると、無線端末と通信する基地局を動作させる方法が提供され得る。方法は、物理ダウンリンク制御チャネル（ＰＤＣＣＨ）オーダを無線端末に送信することを含み、ＰＤＣＣＨオーダは、無線端末からのランダムアクセスチャネル（ＲＡＣＨ）メッセージ１プリアンブル送信に使用されるＲＡＣＨ機会の識別を含む。識別は、ＲＡＣＨ機会のセットを示す第１インデクスと、セットに関連付けられたＲＡＣＨ機会を示す第２インデクスと、を含み得る。さらに、方法は、ＲＡＣＨ機会を使用して無線端末から送信されたメッセージ１プリアンブルを受信することを含み得る。
【００１２】
ＲＡＣＨ機会のセットを示す第１インデクスと、セットに関連付けられたＲＡＣＨ機会を示す第２インデクスと、を含めることにより、本発明の概念の幾つかの実施形態は、物理ランダムアクセスチャネル（ＰＲＡＣＨ）送信においてニューレディオ（ＮＲ）で使用される周波数分割多重（ＦＤＭ）をサポートすることができる。
【００１３】
開示のさらなる理解を提供するために含まれ、本出願に組み込まれ、その一部を構成する添付の図面は、発明の概念の特定の非限定的な実施形態を示す。
【図面の簡単な説明】
【００１４】
【図１】ＮＲの４ステップの初期アクセス手順を示すメッセージダイアグラム。
【図２Ａ】本発明の概念の幾つかの実施形態による、ＲＡＣＨ構成期間内に総てのＳＳＢがマッピングされた構成を示す図。
【図２Ｂ】本発明の概念の幾つかの実施形態による、ＲＡＣＨ構成期間内に総てのＳＳＢがマッピングされた構成を示す図。
【図３】本発明の概念の幾つかの実施形態による、２つのＲＡＣＨ構成期間内に総てのＳＳＢがマッピングされた構成を示す図。
【図４Ａ】ＲＡＣＨ構成期間内に総てのＳＳＢがマッピングされた構成を示す図。
【図４Ｂ】ＲＡＣＨ構成期間内に総てのＳＳＢがマッピングされた構成を示す図。
【図５】本発明の概念の幾つかの実施形態による、２つのＲＡＣＨ構成期間内にすべてのＳＳＢがマッピングされた構成を示す図。
【図６Ａ】本発明の概念の幾つかの実施形態による、ＲＡＣＨ構成期間内にＳＳＢマッピングの周期的反復を有するＳＳＢとＲＯ＿ｉｎｄｅｘのマッピングを示す図。
【図６Ｂ】本発明の概念の幾つかの実施形態による、ＲＡＣＨ構成期間内にＳＳＢマッピングの周期的反復を有するＳＳＢとＲＯ＿ｉｎｄｅｘのマッピングを示す図。
【図６Ｃ】本発明の概念の幾つかの実施形態による、ＲＡＣＨ構成期間内にＳＳＢマッピングの周期的反復を有するＳＳＢとＲＯ＿ｉｎｄｅｘのマッピングを示す図。
【図６Ｄ】本発明の概念の幾つかの実施形態による、ＲＡＣＨ構成期間内にＳＳＢマッピングの周期的反復を有するＳＳＢとＲＯ＿ｉｎｄｅｘのマッピングを示す図。
【図６Ｅ】本発明の概念の幾つかの実施形態による、ＲＡＣＨ構成期間内にＳＳＢマッピングの周期的反復を有するＳＳＢとＲＯ＿ｉｎｄｅｘのマッピングを示す図。
【図７】本発明の概念の幾つかの実施形態による、ＦＲ１及びペアスペクトルのためのランダムアクセス構成を提供する表。
【図８】本発明の概念の幾つかの実施形態による、無線端末（ＵＥ）のブロック図。
【図９】本発明の概念の幾つかの実施形態による、基地局（ｇＮＢ）のブロック図。
【図１０】本発明の概念の幾つかの実施形態による、無線端末動作のフローチャート。
【図１１】本発明の概念の幾つかの実施形態による、基地局動作のフローチャート。
【図１２】本発明の概念の幾つかの実施形態による、通信システムのブロック図。
【図１３】本発明の概念の幾つかの実施形態による、ホストコンピュータ、基地局及びＵＥのブロック図。
【図１４】本発明の概念の幾つかの実施形態による、通信システムにおける動作のフローチャート。
【図１５】本発明の概念の幾つかの実施形態による、通信システムにおける動作のフローチャート。
【図１６】本発明の概念の幾つかの実施形態による、通信システムにおける動作のフローチャート。
【図１７】本発明の概念の幾つかの実施形態による、通信システムにおける動作のフローチャート。
【発明を実施するための形態】
【００１５】
次に、本発明の概念の実施形態例を示す添付の図面を参照して、本発明の概念を以下ではより完全に説明する。しかしながら、本発明の概念は、多くの異なる形態で具現化され、本明細書で説明される実施形態に限定されると解釈されるべきではない。むしろ、これらの実施形態は、この開示が徹底的かつ完全であり、本開示の範囲を当業者に十分に伝えるために提供される。これらの実施形態は相互に排他的ではないことにも留意されたい。一実施形態からの構成要素は、暗黙的に、別の実施形態において存在／使用されることが想定され得る。
【００１６】
以下の説明は、開示される主題の様々な実施形態を提示する。これらの実施形態は、教示例として提示されており、開示された主題の範囲を限定するものとして解釈されるべきではない。例えば、説明された実施形態の特定の詳細は、説明された主題の範囲から逸脱することなく、修正、省略、又は、拡張することができる。
【００１７】
図８は、本発明の概念の実施形態による無線通信を提供する様に構成された無線端末（ＵＥ）８００（無線デバイス、無線通信デバイス、モバイル端末、無線通信端末、ユーザ装置、ユーザ装置ノード／端末／デバイス等とも呼ばれる）の要素を示すブロック図である。図示する様に、無線端末（ＵＥ）は、アンテナ８０７と、無線アクセスネットワークの基地局（ｅＮＢ）とのアップリンク及びダウンリンク無線通信を提供する様に構成された送信機及び受信機を含むトランシーバ回路８０１（トランシーバとも呼ばれる）と、を含み得る。無線端末（ＵＥ）はまた、トランシーバ回路に結合されたプロセッサ回路８０３（プロセッサとも呼ばれる）と、プロセッサ回路に結合されたメモリ回路８０５（メモリとも呼ばれる）と、を含み得る。メモリ回路８０５は、プロセッサ回路８０３によって実行されると、本明細書に開示される実施形態による動作をプロセッサ回路に実行させるコンピュータ可読プログラムコードを含み得る。他の実施形態によると、プロセッサ回路８０３は、別個のメモリ回路が必要とされない様にメモリを含む様に定義され得る。無線端末（ＵＥ）はまた、プロセッサ８０３と結合されたインタフェース（ユーザインタフェース等）を含み、及び／又は、無線端末（ＵＥ）は、車両に組み込まれ得る。
【００１８】
本明細書で説明する様に、無線端末（ＵＥ）の動作は、プロセッサ８０３及び／又はトランシーバ８０１によって実行され得る。例えば、プロセッサ８０３は、無線インタフェースによりトランシーバ８０１を介して基地局（ｇＮＢ）に通信を送信し、及び／又は、無線インタフェースにより基地局からトランシーバ８０１を介して通信を受信するために、トランシーバ８０１を制御し得る。さらに、モジュールはメモリ８０５に格納されてもよく、これらのモジュールは命令を提供し、その結果、モジュールの命令がプロセッサ８０３によって実行されるとき、プロセッサ８０３は、それぞれの動作（例えば、実施形態例に関して以下で論じられる動作）を実行する。
【００１９】
図９は、本発明の概念の実施形態によるセルラ通信を提供する様に構成された無線アクセスネットワーク（ＲＡＮ）の基地局９００（ネットワークノード、基地局、ｅＮｏｄｅＢ、ｅＮＢ、ｇＮｏｄｅＢ、ｇＮＢ等とも呼ばれる）の要素を示すブロック図である。図示する様に、基地局は、無線端末とのアップリンク及びダウンリンク無線通信を提供する様に構成された送信機及び受信機を含むトランシーバ回路９０１（トランシーバとも呼ばれる）を含み得る。基地局は、ＲＡＮ及び／又はローカルエリアネットワークの他のノード（例えば、他の基地局及び／又は他のエンティティ）との通信を提供する様に構成されたネットワークインタフェース回路９０７（ネットワークインタフェースとも呼ばれる）を含み得る。基地局はまた、トランシーバ回路、ネットワークインタフェース回路、及び、メモリ回路９０５（メモリとも呼ばれる）に結合されたプロセッサ回路９０３（プロセッサとも呼ばれる）も含み得る。メモリ回路９０５は、プロセッサ回路９０３によって実行されると、本明細書に開示される実施形態による動作をプロセッサ回路に実行させるコンピュータ可読プログラムコードを含み得る。他の実施形態によると、プロセッサ回路９０３は、別個のメモリ回路が必要とされない様にメモリを含む様に定義され得る。
【００２０】
本明細書で説明する様に、基地局の動作は、プロセッサ９０７、ネットワークインタフェース９０７及び／又はトランシーバ９０１によって実行され得る。例えば、プロセッサ９０３は、無線インタフェースによりトランシーバ９０１を介して１つ以上の無線端末（ＵＥ）に通信を送信し、及び／又は、無線インタフェースにより１つ以上の無線端末（ＵＥ）からトランシーバ９０１を介して通信を受信するために、トランシーバ９０１を制御し得る。同様に、プロセッサ９０３は、ネットワークインタフェース９０７を介して１つ以上の他のネットワークノード／エンティティに通信を送信するため、及び／又は、ネットワークインタフェースを介して１つ以上の他のネットワークノード／エンティティから通信を受信するため、ネットワークインタフェース９０７を制御し得る。さらに、モジュールはメモリ９０５に格納されてもよく、これらのモジュールは命令を提供し、その結果、モジュールの命令がプロセッサ９０３によって実行されるとき、プロセッサ９０３は、それぞれの動作を実行する。
【００２１】
ＬＴＥにおいて、ランダムアクセス手順がＰＤＣＣＨオーダによって開始される場合、マスクインデクスがＤＣＩで送信され、これは、物理ランダムアクセスチャネル（ＰＲＡＣＨ）が送信されるべきランダムアクセスチャネル（ＲＡＣＨ）機会をＵＥに示すために使用される。この様にして、他のＵＥからの送信との潜在的な競合が低減／回避され得る。選択される可能性のあるＲＡＣＨ機会は、ＰＲＡＣＨ構成テーブルにおいてサブフレーム番号として指定される。
【００２２】
しかしながら、このメカニズムは、以下の理由によりＮＲでは機能しない可能性がある。１）ＰＲＡＣＨ周波数分割多重（ＦＤＭ）が、ＮＲでは許可されている（つまり、最大８つのＲＡＣＨ機会が同時に構成され得る）。２）ＮＲにおいて、ＲＡＣＨ構成テーブルは、１つのＲＡＣＨスロット内において複数のＲＡＣＨ機会をサポートし、１つのサブフレーム内において複数のＲＡＣＨスロットをサポートする。３）同期信号ブロック（ＳＳＢ）を異なるＲＡＣＨ機会（ＲＯ）にマッピングする場合、ＳＳＢインデクスとＲＯとの間に関連付けが存在する。したがって、新しいＲＯ表示メカニズムが、ＮＲにおけるＰＤＣＣＨオーダにより開始されるＰＲＡＣＨ送信用に設計される必要があり得る。
【００２３】
本発明の概念の幾つかの実施形態によると、ＰＤＣＣＨオーダを使用して開始されたＰＲＡＣＨ送信のＲＡＣＨ機会（ＲＯ）を識別するため、ＤＣＩ内のＲＯインデクスフィールドを使用するシグナリングメカニズムが提供され得る。
【００２４】
ＲＯインデクスフィールドは、ＲＡＣＨ構成内のＲＯインデクス番号を直接示すために使用され得る、或いは、ＳＳＢインデクスに関連付けられたＲＯインデクス番号を示すために使用され得る。後者の場合、ＰＲＡＣＨ送信のためのＲＯは、ＳＳＢインデクスとＲＯインデクスによって識別される。ＳＳＢインデクスは、ｇＮＢとＵＥによって解釈される最良のＳＳＢに基づくか、ＰＤＣＣＨオーダのためのＤＣＩで直接シグナリングされ得る。
【００２５】
ＰＤＣＣＨオーダによるＰＲＡＣＨ送信に対して複数のＲＯが構成／シグナリングされる場合、ＵＥとネットワークがＰＲＡＣＨ送信にどのＲＯが使用されるかが分かる様に、ＵＥの動作が指定される。例えば、ＵＥは時間領域で可能な最も早いＲＯでＰＲＡＣＨを送信し、周波数分割多重されたＲＯが構成されている場合、ＵＥは周波数領域で最初のＲＯを選択すべきである。
【００２６】
本発明の概念の幾つかの実施形態によると、ランダムアクセス手順は、ＮＲにおけるＰＤＣＣＨオーダによって開始されてもよく、ＵＥは、プリアンブル送信に使用するＲＡＣＨ機会（ＲＯ）を割り当てられる。
【００２７】
本発明の概念の幾つかの実施形態によると、ＲＡＣＨ機会（ＲＯ）表示フィールドが、ＰＤＣＣＨオーダによって開始されるランダムアクセス手順のためにＤＣＩに導入され得る。この表示フィールドを、ｓｓｂ−ｐｅｒ−ＲＯ、ＰＲＡＣＨ−ＦＤＭｅｄ、ＰＲＡＣＨ構成インデクスなどのＲＲＣ（無線リソース制御）パラメータと共に使用することにより、ＵＥは、プリアンブルの送信に使用する正確なＲＡＣＨ機会を知ることができる。
【００２８】
第１実施形態によると、ＲＯインデクスフィールドを使用して、ＲＡＣＨ構成期間内のＲＯインデクス番号を直接示すことができる。
【００２９】
ＲＯには、ＮＲでのＳＳＢからＲＯへのマッピングと同じ方法で番号が付与されていると想定している。つまり、
ｉ．周波数多重化されたＲＡＣＨ機会の番号を増加させる順序において
ｉｉ．ＲＡＣＨスロット内においては、時間多重化されたＲＡＣＨ機会の番号を増加させる順序において
ｉｉｉ．ＲＡＣＨスロットの番号を増加させる順序において
よって、ＲＯインデクスパラメータを使用するだけで、ＰＲＡＣＨ送信のＲＯを識別できる。
【００３０】
図２Ａ及び２Ｂ並びに図３は、ＰＤＣＣＨオーダのためのＲＯをシグナリングするために、ＲＯインデクスをどの様に使用できるかの幾つかの例を示している。
【００３１】
図２Ａ及び図２Ｂ並びに図３において、各ラベル付きボックス（つまり、"ＳＳＢｍ（ｎ）"とラベルの付いた各ボックス）は、ＲＯを示している。したがって、各ＲＡＣＨ構成期間は、時間領域（例えば、各ＲＡＣＨスロット）に複数のＲＯを含み、（ＲＡＣＨスロット内の）周波数領域に４つのＲＯを含み得る。各ボックスの"ＳＳＢｍ（ｎ）"という文字は、ＲＡＣＨ構成期間内のＲＯインデクス番号ｎを示し、このＲＯはＳＳＢｍに関連付けられている。ＲＡＣＨ構成期間は８０ｍｓと想定され、ＳＳＢバースト期間は２０ｍｓと想定される。１つのＳＳＢバースト期間で送信されるＳＳＢの数は８である。図２Ａ及び図２Ｂは、ＲＡＣＨ構成期間内の総てのＲＯを、総てのＳＳＢにマッピングする必要がない場合の例を示している。ＲＡＣＨ構成期間内の残りのＲＯは未使用のままにすることができる。図３は、ｓｓｂ＿ｐｅｒ＿ＲＯ＝１／８の１つの例を示し、２つのＲＡＣＨ構成期間が総てのＳＳＢをマッピングするために使用される／必要とされる。
【００３２】
図２Ａ及び図２Ｂにおいては、総てのＳＳＢがＲＡＣＨ構成期間内でマッピングされ得る。
【００３３】
図３において、２つのＲＡＣＨ構成期間が、総てのＳＳＢをマッピングするために使用され得る。
【００３４】
総てのＳＳＢが１つのＲＡＣＨ構成期間内でマッピングされ得る場合（図２Ａ及び２Ｂに示す例）、ＲＯインデクス番号は、ＰＲＡＣＨ送信に使用する一意のＲＯを与え得る。総てのＳＳＢをマッピングするために複数のＲＡＣＨ構成期間が使用／必要とされる場合（図３に示す例）、ＲＯインデクス番号は、ＳＳＢマッピング期間内のＰＲＡＣＨ送信に使用され得るＲＯのサブセットを提供し得る。ＰＲＡＣＨ送信に使用する正確なＲＯは、ＰＲＡＣＨ送信のタイミング、すなわち、ＰＤＤＣＨオーダとＰＲＡＣＨの送信との間の最小時間ギャップに依存し得る。
【００３５】
幾つかの実施形態において、ＲＯインデクスフィールドは、ＰＲＡＣＨ送信に使用され得る２つ以上のＲＯを与える。次に、ＰＲＡＣＨ送信の正確なＲＯは、ＰＲＡＣＨ送信タイミングに基づいて選択され得る。
【００３６】
幾つかの実施形態において、ＲＯへのＳＳＢマッピングは、ＲＡＣＨ構成期間内で周期的に繰り返されなくてもよく、その場合、ＰＤＣＣＨオーダに使用されるＲＯインデックスの最大値は、ＳＳＢバースト期間内のＳＳＢの最大数と、１つのＳＳＢのために構成され得るＲＯの最大数と、に依存し得る。
【００３７】
他の実施形態において、ＲＡＣＨ構成内でＳＳＢマッピングを周期的に繰り返すことが許可されている場合、ＰＤＣＣＨオーダに使用されるＲＯインデクスの最大値は、ＲＡＣＨ構成期間内のＲＯ時間インスタンスの最大数と、１つのＳＳＢのために構成され得るＲＯの最大数と、に依存し得る。
【００３８】
幾つかの実施形態において、ＲＯインデクス値がデフォルト値に設定されるとき、例えば、ＲＯインデックス＝０のとき、ＳＳＢマッピング期間における総てのＲＯ候補は、ＵＥにとって、そのプリアンブル送信のために利用可能である。次に、ＵＥ及びネットワークがＰＲＡＣＨ送信に使用されるＲＯを知る様に、ＵＥの挙動が指定される。例えば、ＵＥは時間領域で可能な最も早いＲＯでＰＲＡＣＨを送信し、周波数分割多重されたＲＯが構成されている場合、ＵＥは周波数領域で最初のＲＯを選択すべきである。
【００３９】
他の幾つかの実施形態によると、ＤＣＩ内のＲＯインデクスフィールドは、ＳＳＢインデクスに関連付けられたＲＯ番号を示すために使用され得る。ＰＲＡＣＨ送信のためのＲＯは、ＳＳＢインデクスと共にＲＯインデクスによって識別される。ＳＳＢインデクスは、ｇＮＢとＵＥによって解釈される最良のＳＳＢに基づくか、ＰＤＣＣＨオーダのためのＤＣＩで直接シグナリングされ得る。
【００４０】
そのような実施形態の第１ケースにおいて、周期的に繰り返されるＳＳＢマッピングは、ＲＡＣＨ構成期間では使用されない。
【００４１】
以下の説明においては、プリアンブル送信のためのＲＯをＵＥに割り当てるために、ＳＳＢインデクス／ＣＳＩインデクス及びＲＯインデクスパラメータがどの様に使用され得るかについての２つの例を提供する。これらの例では、ＲＡＣＨ構成期間内においてＳＳＢマッピングが周期的に繰り返されないことを前提としている。
【００４２】
図４Ａ及び図４Ｂにおいては、総てのＳＳＢがＲＡＣＨ構成期間内でマッピングされ得る。
【００４３】
図５においては、２つのＲＡＣＨ構成期間が、総てのＳＳＢをマッピングするために使用される。
【００４４】
図４Ａ及び図４Ｂ並びに図５において、各ラベル付きボックスはＲＯを表し、各ボックス内の文字"ＳＳＢｍ（ｎ）"は、ＳＳＢｍに関連付けられたＲＯインデクスｎを示している。図４Ａ及び図４Ｂはそれぞれ、各ＳＳＢバースト期間に８つのＳＳＢが送信され、総てのＳＳＢをマッピングするために、ＲＡＣＨ構成期間内の総てのＲＯが必要されない２つの例を示している。ＲＡＣＨ構成期間内の残りのＲＯは未使用のままにされ得る。図５は、各ＳＳＢバースト期間に８つのＳＳＢが送信され、２つのＲＡＣＨ構成期間が総てのＳＳＢのマッピングに使用／必要とされる１つの例を示している。
【００４５】
ＳＳＢ−ｉｎｄｅｘ＝ｍは、ＵＥがＳＳＢｍに関連付けられたプリアンブルを送信し、ＲＯ−ｉｎｄｅｘ＝ｎは、シグナリングされたＳＳＢに関連付けられたｎ番目のＲＯをＵＥが使用することを想定している。次に、ＳＳＢ−ｉｎｄｅｘ＝ｍ及びＲＯ−ｉｎｄｅｘ＝ｎを使用して、プリアンブル送信に特定のＲＯ（つまり、図４Ａ及び図４Ｂ並びに図５でＳＳＢｍ（ｎ）としてマークされたＲＯ）を割り当てることができる。
【００４６】
ＰＢＣＨのサブキャリア間隔（ＳＣＳ）に応じて、ＳＳＢバースト期間内のＳＳＢの最大数は４、８及び／又は６４になり得る。したがって、ＳＳＢ−ｉｎｄｅｘパラメータが通知される場合、最大６ビットがＳＳＢ−ｉｎｄｅｘパラメータのために使用される／必要になる可能性がある。
【００４７】
１つのＳＳＢがマッピングされ得るＲＯの最大数が８（１／ｓｓｂ＿ｐｅｒ＿ＲＯ）であることを考慮すると、ＰＤＣＣＨオーダのためのＤＣＩのＲＯ−ｉｎｄｅｘフィールドには３ビットが必要になり得る。ＲＡＣＨ構成内でＳＳＢマッピングを周期的に繰り返すことが許可されている場合、ＲＯ−ｉｎｄｅｘパラメータのサイズが大幅に増加し得ることに留意されたい。
【００４８】
幾つかの実施形態において、ＲＯインデクス値がデフォルト値に設定されるとき、例えば、ＲＯインデックス＝０のとき、総てのＳＳＢに関連付けられた総てのＲＯ候補、又は、シグナリングされた／最良のＳＳＢに関連付けられた総てのＲＯは、ＵＥにとって、そのプリアンブル送信のために利用可能である。次に、ＵＥ及びネットワークがＰＲＡＣＨ送信に使用されるＲＯを知る様に、ＵＥの挙動が指定される。例えば、ＵＥは時間領域で可能な最も早いＲＯでＰＲＡＣＨを送信し、周波数分割多重されたＲＯが構成されている場合、ＵＥは周波数領域で最初のＲＯを選択すべきである。
【００４９】
その様な実施形態の第２ケースにおいて、周期的に繰り返されるＳＳＢマッピングがＲＡＣＨ構成期間で使用され得る。
【００５０】
ＲＯ＿ｉｎｄｅｘ＝｛０、１、...、Ｒ｝として定義され、Ｒは、ＰＲＡＣＨ構成テーブルの値、送信されたＳＳＢの合計数、及び、ＲＲＣパラメータであるｓｓｂ−ｐｅｒ−ＲＯとｐｒａｃｈ−ＦＤＭに基づいて計算される。特定のＰＲＡＣＨ構成について、構成期間内において可能なＲＡＣＨ機会の合計数は以下の様に計算され得る。
ＲＯ＿ｔｏｔａｌ＝Ｆ×サイズ（サブフレーム番号）×（サブフレーム内のＰＲＡＣＨスロット数）×（ＲＡＣＨスロット内のＰＲＡＣＨ機会数）
【００５１】
ここで、Ｆは２ビットのパラメータであるＲＲＣパラメータｐｒａｃｈ−ＦＤＭによって指定される値であり、値の範囲は｛１、２、４、８｝であることが合意されている。"サブフレーム番号"、"サブフレーム内のＰＲＡＣＨスロット数"、及び、"ＲＡＣＨスロット内のＰＲＡＣＨ機会数"は、構成テーブルから読み取られる。値が定義されていない場合は、１に設定される。例として、図７の表１［セクション６．３．３、３８．２１１］に示されるテーブルにおいて、ＰＲＡＣＨ構成インデクスが１４に設定されている場合、サブフレーム番号＝｛０，１，２，３，４，５，６，７，８，９｝であり、サイズ（サブフレーム番号）＝１０となり、サブフレーム内の未定義のＰＲＡＣＨスロット数＝１、ＲＡＣＨスロット内のＰＲＡＣＨ機会数＝１に設定され、Ｆ＝４の場合、１つの構成期間内のＲＡＣＨ機会の合計数ＲＯ＿ｔｏｔａｌは、ＲＯ＿ｔｏｔａｌ＝４×１０×１×１＝４０である。
【００５２】
図７の表１は、ＦＲ１及びペアスペクトルのランダムアクセス構成を示している。
【００５３】
（仕様に追加される）３ＧＰＰミーティングの最新の合意に基づくと、送信されたＳＳＢの合計数をＭとすると、Ｋはｓｓｂ−ｐｅｒ−ＲＯによって構成された値、つまり、Ｋ∈｛１／８，１／４，１／２，１，２，４，８，１６｝を表し、よって、ＲＯ＿ｉｎｄｅｘの値の範囲は次の様に計算される。
【００５４】
Ｋ＝｛１／８，１／４，１／２，１｝の場合、ＲＯ＿ｉｎｄｅｘ＝｛０、１、...、Ｒ｝、ここでＲ＝ＲＯ＿ｔｏｔａｌ／Ｍ；
Ｋ＝｛２，４，８，１６｝の場合、ＲＯ＿ｉｎｄｅｘ＝｛０，１，...，Ｒ｝、ここで、Ｒ＝ＲＯ＿ｔｏｔａｌ／Ｍ×Ｋ
ＳＳＢとＲＯ＿ｉｎｄｅｘとの間の関連付けの例を図６Ａ、図６Ｂ、図６Ｃ、及び、図６Ｄに示す。ここで、色付きの各ボックスはＲＯを表し、各ボックス内の文字"ＳＳＢｍ（ｎ）"は、ＳＳＢｍに関連付けられたＲＯインデックスｎを表す。この例において、ＳＳＢは３ＧＰＰＴＳ３８．２１３に追加される、合意されたルールに従ってＲＯにマッピングされる。
【００５５】
実際に送信されたＳＳ／ＰＢＣＨブロックは、次の順序でＲＡＣＨ送信に関連付けられる。
・最初に、１回のＲＡＣＨの機会の中でプリアンブルインデクスを増加させる。
・次に、周波数多重化されたＲＡＣＨ機会の番号を増加させる。
・次に、ＲＡＣＨスロット内の時間領域でのＲＡＣＨ機会の番号を増加させる。
・次に、ＲＡＣＨスロットの番号を増加させる。
【００５６】
送信されたＳＳＢの合計数Ｍ＝８、ｐｒａｃｈ−ＦＤＭ値Ｆ＝４、及び、ｓｓｂ−ｐｅｒ−ＲＯの可変値をＫであると仮定する。構成期間内の時間領域ＲＡＣＨ機会が、事前定義されたＰＲＡＣＨ構成において１６であるとすると、ＲＯ＿ｔｏｔａｌ＝６４である。図６Ａ、図６Ｂ、図６Ｃ、及び、図６Ｄに示されている様に、ＰＤＣＣＨオーダによって、既知のＳＳＢ−ｉｎｄｅｘと共にＲＯ＿ｉｎｄｅｘがＵＥにシグナリングされると、ＵＥは、プリアンブルを送信する正確な機会を見つける。ＲＯ＿ｉｎｄｅｘ＝０の場合、ＳＳＢ−ｉｎｄｅｘにマッピングされた総ての機会が送信用に選択され得る。
【００５７】
図６Ａ、図６Ｂ、図６Ｃ、及び、図６Ｄは、ＳＳＢ及びＲＯ＿ｉｎｄｅｘマッピングの例を示し、ここで、ＲＡＣＨ構成期間のＳＳＢマッピングは周期的に繰り返される。
【００５８】
さらに他の実施形態によると、ＲＯインデクスは、グループ／反復インデクスに関連付けられたＲＯ番号を示すために使用され得る。
【００５９】
その様な実施形態において、グループ／反復インデクス（ｇｒｏｕｐ＿ｉｄによって示される）及びグループごとのＲＯインデクスが導入されて、プリアンブル送信のためのＲＡＣＨ機会をＵＥにシグナリングし得る。
Ｍ＝送信されたＳＳＢの合計数
Ｋ＝ｓｓｂ−ｐｅｒ−ＲＯ、Ｋ∈｛１／８，１／４，１／２，１，２，４，８，１６｝；
ＲＯ＿ｔｏｔａｌ＝Ｆ×サイズ（サブフレーム番号）×（サブフレーム内のＰＲＡＣＨスロット数）×（ＲＡＣＨスロット内のＰＲＡＣＨ機会数）
次に、グループ／反復インデックスの値は、ｇｒｏｕｐ＿ｉｄ＝｛１、...、Ｇ｝として計算でき、ここで、Ｇ＝ｆｌｏｏｒ（ＲＯ＿ｔｏｔａｌ／Ｍ×Ｋ）である。
【００６０】
グループごとのＲＯインデックスは、グループ内のＲＯインデックスを指定するために使用され得る。１つのＳＳＢはグループ内の最大８つのＲＯにマッピングされ得るため、最大３ビットが必要になり得る。
【００６１】
ＵＥがｇｒｏｕｐ＿ｉｄとグループごとのＲＯインデクスを使用してシグナリングされる場合、ＰＲＡＣＨ送信の正確な機会が指定される。
【００６２】
したがって、本発明の概念の幾つかの実施形態によると、ＰＤＣＣＨオーダによって開始されるランダムアクセスのためのＲＡＣＨ機会表示のためのシグナリングメカニズムが提供され得る。
【００６３】
次に、本発明の概念の幾つかの実施形態による図１０のフローチャートを参照して、無線端末（ＵＥ）８００の動作について説明する。例えば、モジュールがメモリ８０５に格納された図８の構造を使用して無線端末を実装し、モジュールが命令を提供して、モジュールの命令がプロセッサ８０３によって実行されるとき、プロセッサ８０３がそれぞれの動作を実行する様にすることができる。したがって、無線端末（ＵＥ）８００のプロセッサ８０３は、トランシーバ８０１を介して、無線通信ネットワークの１つ又は複数のネットワークノード（例えば、基地局又は他のノード／エンティティ）と通信を送受信することができる。
【００６４】
ブロック１００１で、プロセッサ８０３は、トランシーバ８０１を介してネットワークノード９００から物理ダウンリンク制御チャネル（ＰＤＣＣＨ）オーダを受信し得る。ＰＤＣＣＨオーダは、ランダムアクセスチャネル（ＲＡＣＨ）メッセージ１プリアンブル送信に使用されるＲＡＣＨ機会の識別を含み得る。より具体的には、識別は、ＲＡＣＨ機会のセットを示す第１インデクスと、セットに関連付けられているＲＡＣＨ機会を示す第２インデクスと、を含み得る。第１インデクスは、同期信号ブロック（ＳＳＢ）インデクスであり、ＳＳＢインデクスは、ＳＳＢインデックスに関連付けられているＲＡＣＨ機会のセットを示し得る。さらに、第２インデクスは、ＳＳＢインデクスで示されるＲＡＣＨ機会のセットに関連付けられているＲＡＣＨ機会を示すＲＡＣＨ機会（ＲＯ）インデクスであり得る。さらに、識別は、ＰＤＣＣＨオーダを介して搬送されるダウンリンク制御情報（ＤＣＩ）で提供され得る。
【００６５】
ブロック１００３において、プロセッサ８０３は、ＰＤＣＣＨオーダに応答して、ランダムアクセス手順のためのメッセージ１（Ｍｓｇ１）プリアンブルを、トランシーバ８０１を介してネットワークノード９００に送信し得る。より具体的には、メッセージ１プリアンブルは、第１インデクス及び第２インデクスによって示されるＲＡＣＨ機会を使用して送信され得る。
【００６６】
ブロック１００５において、プロセッサ８０３は、メッセージ１プリアンブルを送信した後、ランダムアクセス手順のメッセージ２ランダムアクセス応答を、トランシーバ８０１を介してネットワークノード９００から受信し得る。ブロック１００７において、プロセッサ８０３は、メッセージ２ランダムアクセス応答を受信したことに応答して、ランダムアクセス手順のためのメッセージ３を、トランシーバ８０１を介してネットワークノード９００にアップリンクチャネルで送信し得る。ブロック１００９において、プロセッサ８０３は、メッセージ３を送信した後、ランダムアクセス手順のメッセージ４競合解決メッセージを、トランシーバ８０１を介してネットワークノード９００から受信し得る。
【００６７】
図１０の様々な動作は、幾つかの実施形態に関してオプションであり得る。例えば、ブロック１００５、ブロック１００７及びブロック１００９の動作は、オプションであり得る。
【００６８】
次に、無線通信ネットワークのネットワークノード（例えば、基地局ｇＮＢ）９００の動作を、図１１のフローチャートを参照して説明する。例えば、モジュールがメモリ９０５に格納された図９の構造を使用してネットワークノード９００を実装し、モジュールが命令を提供して、モジュールの命令がプロセッサ９０３によって実行されるとき、プロセッサ９０３がそれぞれの動作を実行する様にすることができる。したがって、ネットワークノード９００のプロセッサ９０３は、ネットワークインタフェース９０７を介して無線通信ネットワークの１つ又は複数の他のネットワークノード／エンティティとの間で通信を送受信することができ、ネットワークノード９００は、トランシーバ９０１を介して、１つ又は複数の無線端末と通信を送受信することができる。
【００６９】
ブロック１１０１で、プロセッサ９０３は、トランシーバ９０１を介して無線端末８００に物理ダウンリンク制御チャネル（ＰＤＣＣＨ）オーダを送信し得る。ＰＤＣＣＨオーダは、無線端末からのランダムアクセスチャネル（ＲＡＣＨ）メッセージ１プリアンブル送信に使用されるＲＡＣＨ機会の識別を含み得る。より具体的には、識別は、ＲＡＣＨ機会のセットを示す第１インデクスと、セットに関連付けられたＲＡＣＨ機会を示す第２インデクスと、を含み得る。
【００７０】
第１インデクスは、同期信号ブロック（ＳＳＢ）インデクスであり、ＳＳＢインデクスは、ＳＳＢインデックスに関連付けられているＲＡＣＨ機会のセットを示し得る。さらに、第２インデクスは、ＳＳＢインデクスで示されるＲＡＣＨ機会のセットに関連付けられているＲＡＣＨ機会を示すＲＡＣＨ機会（ＲＯ）インデクスであり得る。さらに、識別は、ＰＤＣＣＨオーダを介して搬送されるダウンリンク制御情報（ＤＣＩ）で提供され得る。
【００７１】
ブロック１１０３で、プロセッサ９０３は、トランシーバ９０３を介して無線端末８００から、第１インデクス及び第２インデクスによって示されるＲＡＣＨ機会を使用するランダムアクセス手順のためのメッセージ１プリアンブルを受信し得る。ブロック１１０５において、プロセッサ９０３は、メッセージ１プリアンブルの受信に応答して、ランダムアクセス手順のメッセージ２ランダムアクセス応答を、トランシーバ９０１を介して無線端末８００に送信し得る。ブロック１１０７において、プロセッサ９０３は、メッセージ２ランダムアクセス応答を送信した後、トランシーバ９０１を介して無線端末８００からアップリンクチャネル上でランダムアクセス手順のためのメッセージ３を受信し得る。ブロック１１０９において、プロセッサ９０３は、メッセージ３の受信に応答して、ランダムアクセス手順のメッセージ４競合解決メッセージを、トランシーバ９０１を介して無線端末８００に送信し得る。
【００７２】
図１１の様々な動作は、幾つかの実施形態に関してオプションであり得る。例えば、ブロック１１０５、ブロック１１０７及びブロック１１０９の動作は、オプションであり得る。
【００７３】
本発明の概念の実施形態を例として以下に説明する。
【００７４】
１．基地局と通信する無線端末を動作させる方法であって、基地局から物理ダウンリンク制御チャネル（ＰＤＣＣＨ）オーダを受信することであって、ランダムアクセスチャネル（ＲＡＣＨ）メッセージ１プリアンブル送信に使用されるＲＡＣＨ機会の識別が基地局から提供され、識別は、ＲＡＣＨ構成期間内の複数のＲＡＣＨスロットの内のＲＡＣＨスロットを定義する、前記受信することと、ＰＤＣＣＨオーダに応答して、識別によって定義されたＲＡＣＨ構成期間内のＲＡＣＨスロットを使用して、メッセージ１プリアンブルを基地局に送信することと、を含む、方法。
【００７５】
２．実施形態１の方法であって、識別は、識別により定義されたＲＡＣＨスロット内の複数の周波数リソースの内の周波数リソースをさらに定義する、方法。
【００７６】
３．実施形態１又は実施形態２の方法であって、識別は、ＰＤＣＣＨオーダを介して搬送されるダウンリンク制御情報（ＤＣＩ）で提供される、方法。
【００７７】
４．実施形態１から実施形態３のいずれかによる動作を実行する様に適合されている無線端末（ＵＥ）。
【００７８】
５．無線通信ネットワークにおいて無線通信を提供する様に構成されたトランシーバ（８０１）と、トランシーバに結合されたプロセッサ（８０３）と、を備え、プロセッサは、トランシーバを介して無線通信ネットワークとの無線通信を提供する様に構成され、プロセッサは、実施形態１から３のいずれかによる動作を実行する様にさらに構成される、無線端末（ＵＥ）。
【００７９】
６．無線端末と通信する基地局を動作させる方法であって、無線端末に物理ダウンリンク制御チャネル（ＰＤＣＣＨ）を送信することであって、無線端末からのランダムアクセスチャネル（ＲＡＣＨ）メッセージ１プリアンブル送信に使用されるＲＡＣＨ機会の識別が基地局より提供され、識別は、ＲＡＣＨ構成期間内の複数のＲＡＣＨスロットの内のＲＡＣＨスロットを定義する、前記送信することと、無線端末から、識別によって定義されたＲＡＣＨ構成期間内のＲＡＣＨスロットを使用したメッセージ１プリアンブルを受信することと、を含む、方法。
【００８０】
７．実施形態６の方法であって、識別は、識別によって定義されたＲＡＣＨスロット内の複数の周波数リソースの内の周波数リソースをさらに定義する、方法。
【００８１】
８．実施形態６又は実施形態７の方法であって、識別は、ＰＤＣＣＨオーダを介して搬送されるダウンリンク制御情報（ＤＣＩ）で提供される、方法。
【００８２】
９．実施形態６から実施形態８のいずれかによる動作を実行する様に適合されている基地局（ｅＮＢ）。
【００８３】
１０．無線端末との無線通信を提供する様に構成されたトランシーバ（９０１）と、トランシーバに結合されたプロセッサ（９０３）と、を備え、プロセッサは、トランシーバを介して無線端末との無線通信を提供する様に構成され、プロセッサは、実施形態６から実施形態８のいずれかによる動作を実行する様にさらに構成される、基地局（ｅＮＢ）。
【００８４】
一実施形態に従う図１２を参照すると、通信システムは、３ＧＰＰタイプのセルラネットワークなどの通信ネットワークＱＱ４１０を含み、通信ネットワークＱＱ４１０は、無線アクセスネットワーク等のアクセスネットワークＱＱ４１１とコアネットワークＱＱ４１４とを含む。アクセスネットワークＱＱ４１１は、ＮＢ、ｅＮＢ、ｇＮＢ又は他のタイプの無線アクセスポイントなどの複数の基地局ＱＱ４１２ａ、ＱＱ４１２ｂ、ＱＱ４１２ｃを備え、それぞれが対応するカバレッジエリアＱＱ４１３ａ、ＱＱ４１３ｂ、ＱＱ４１３ｃを定義する。各基地局ＱＱ４１２ａ、ＱＱ４１２ｂ、ＱＱ４１２ｃは、有線又は無線接続ＱＱ４１５を介してコアネットワークＱＱ４１４に接続可能である。カバレッジエリアＱＱ４１３ｃに位置する第１ＵＥ  ＱＱ４９１は、対応する基地局ＱＱ４１２ｃに無線で接続する、或いは、ページングされる様に構成される。カバレッジエリア４１３ａの第２ＵＥ  ＱＱ４９２は、対応する基地局ＱＱ４１２ａに無線で接続可能である。複数のＵＥ  ＱＱ４９１、ＱＱ４９２がこの例に示されているが、開示された実施形態は、単一ＵＥがカバレッジエリアにある状況、又は、単一ＵＥが対応する基地局ＱＱ４１２に接続している状況に等しく適用可能である。
【００８５】
通信ネットワークＱＱ４１０自体は、スタンドアロンサーバ、クラウド実装サーバ、分散サーバのハードウェア及び／又はソフトウェアにより、又は、サーバファームの処理リソースとして具現化され得るホストコンピュータＱＱ４３０に接続される。ホストコンピュータＱＱ４３０は、サービスプロバイダの所有又は管理下にあり得るか、又はサービスプロバイダによって又はサービスプロバイダに代わって操作され得る。通信ネットワークＱＱ４１０とホストコンピュータＱＱ４３０との間の接続ＱＱ４２１、ＱＱ４２２は、コアネットワークＱＱ４１４からホストコンピュータＱＱ４３０まで直接延長してもよく、又はオプションの中間ネットワークＱＱ４２０を介してもよい。中間ネットワークＱＱ４２０は、パブリック、プライベート、又はホストされたネットワークの１つ、又は２つ以上の組み合わせであっても良く、中間ネットワークＱＱ４２０（ある場合）は、バックボーンネットワーク又はインターネットである場合があり、特に、中間ネットワークＱＱ４２０は、２つ以上のサブネットワーク（図示せず）を備えてもよい。
【００８６】
図１２の通信システムは全体として、接続されたＵＥ  ＱＱ４９１、ＱＱ４９２とホストコンピュータＱＱ４３０との間の接続を可能にする。接続性は、オーバーザトップ（ＯＴＴ）接続ＱＱ４５０として説明され得る。ホストコンピュータＱＱ４３０及び接続されたＵＥ  ＱＱ４９１１、ＱＱ４９２は、アクセスネットワークＱＱ４１１、コアネットワークＱＱ４１４、任意の中間ネットワークＱＱ４２０及び、仲介者としての可能なさらなるインフラストラクチャ（図示せず）を使用して、ＯＴＴ接続ＱＱ４５０を介してデータ及び／又はシグナリングを通信する様に構成される。ＯＴＴ接続ＱＱ４５０は、ＯＴＴ接続ＱＱ４５０が通過する参加通信デバイスがアップリンク及びダウンリンク通信のルーティングを認識しないという意味で透過的であり得る。例えば、基地局ＱＱ４１２は、接続されたＵＥ  ＱＱ４９１に転送される（例えば、引き渡される）ホストコンピュータＱＱ４３０から発信されるデータとの着信ダウンリンク通信の過去のルーティングについて通知されないか、又は通知される必要はない。同様に、基地局ＱＱ４１２は、ＵＥ  ＱＱ４９１からホストコンピュータＱＱ４３０に向かう発信アップリンク通信の将来のルーティングを認識する必要はない。
【００８７】
一実施形態による、前述の段落で説明したＵＥ、基地局、及びホストコンピュータの例示的な実装形態を、図１３を参照して説明する。通信システムＱＱ５００において、ホストコンピュータＱＱ５１０は、通信システムＱＱ５００の異なる通信デバイスのインタフェースとの有線又は無線接続をセットアップ及び維持する様に構成された通信インタフェースＱＱ５１６を含むハードウェアＱＱ５１５を備える。ホストコンピュータＱＱ５１０は、記憶及び／又は処理能力を有し得る処理回路ＱＱ５１８をさらに備える。特に、処理回路ＱＱ５１８は、命令を実行する様に適合された１つ以上のプログラマブルプロセッサ、特定用途向け集積回路、フィールドプログラマブルゲートアレイ、又はこれらの組み合わせ（図示せず）を備え得る。ホストコンピュータＱＱ５１０は、処理回路ＱＱ５１８によって実行可能であるソフトウェアＱＱ５１１をさらに備え、ソフトウェアＱＱ５１１は、ホストコンピュータＱＱ５１０に格納されるか、ホストコンピュータＱＱ５１０によってアクセス可能である。ソフトウェアＱＱ５１１は、ホストアプリケーションＱＱ５１２を含む。ホストアプリケーションＱＱ５１２は、ＵＥ  ＱＱ５３０とホストコンピュータＱＱ５１０で終端されるＯＴＴ接続ＱＱ５５０を介して接続する、ＵＥ  ＱＱ５３０の様なリモートユーザにサービスを提供する様に動作可能であり得る。リモートユーザにサービスを提供する際、ホストアプリケーションＱＱ５１２は、ＯＴＴ接続ＱＱ５５０を使用して送信されるユーザデータを提供し得る。
【００８８】
通信システムＱＱ５００は、通信システムに設けられ、ホストコンピュータＱＱ５１０及びＵＥＱＱ５３０と通信することを可能にするハードウェアＱＱ５２５を備える基地局ＱＱ５２０をさらに含む。ハードウェアＱＱ５２５は、通信システムＱＱ５００の異なる通信デバイスのインタフェースとの有線又は無線接続を設定及び維持するための通信インタフェースＱＱ５２６と、少なくとも、基地局ＱＱ５２０がサービスを提供するカバレッジエリア（図１３には示されていない）にあるＵＥ  ＱＱ５３０との無線接続ＱＱ５７０を設定及び維持するための無線インタフェースＱＱ５２７と、を含み得る。通信インタフェースＱＱ５２６は、ホストコンピュータＱＱ５１０への接続ＱＱ５６０を促進する様に構成され得る。接続ＱＱ５６０は直接であってもよいし、通信システムのコアネットワーク（図１３には図示せず）及び／又は通信システムの外部の１つ以上の中間ネットワークを通過してもよい。実施形態において、基地局ＱＱ５２０のハードウェア５２５は、処理回路ＱＱ５２８をさらに備え、処理回路ＱＱ５２８は、命令を実行する様に適合された１つ以上のプログラマブルプロセッサ、特定用途向け集積回路、フィールドプログラマブルゲートアレイ、又はこれらの組み合わせ（図示せず）を備え得る。基地局ＱＱ５２０は、内部に格納されたソフトウェアＱＱ５２１又は外部接続を介してアクセス可能なソフトウェアＱＱ５２１をさらに有する。
【００８９】
通信システムＱＱ５００は、既に言及したＵＥ  ＱＱ５３０をさらに含む。そのハードウェアＱＱ５３５は、ＵＥ  ＱＱ５３０が現在位置するカバレッジエリアにサービスを提供する基地局との無線接続ＱＱ５７０を設定及び維持する様に構成された無線インタフェースＱＱ５３７を含み得る。ＵＥ  ＱＱ５３０のハードウェアＱＱ５３５は、処理回路ＱＱ５３８をさらに備え、処理回路ＱＱ５３８は、命令を実行する様に適合された１つ以上のプログラマブルプロセッサ、特定用途向け集積回路、フィールドプログラマブルゲートアレイ、又はこれらの組み合わせ（図示せず）を備え得る。ＵＥ  ＱＱ５３０は、処理回路ＱＱ５３８によって実行可能であるソフトウェア５３１をさらに備え、ソフトウェアＱＱ５３１は、ＵＥ  ＱＱ５３０に格納されるか、ＵＥ  ＱＱ５３０によってアクセス可能である。ソフトウェアＱＱ５３１は、クライアントアプリケーションＱＱ５３２を含む。クライアントアプリケーションＱＱ５３２は、ホストコンピュータＱＱ５１０のサポートにより、ＵＥ  ＱＱ５３０を介して人間又は非人間のユーザにサービスを提供する様に動作可能であり得る。ホストコンピュータＱＱ５１０において、実行中のホストアプリケーションＱＱ５１２は、ＵＥ  ＱＱ５３０及びホストコンピュータＱＱ５１０で終端するＯＴＴ接続ＱＱ５５０を介して実行中のクライアントアプリケーションＱＱ５３２と通信することができる。ユーザにサービスを提供する際、クライアントアプリケーションＱＱ５３２は、ホストアプリケーションＱＱ５１２からリクエストデータを受信し、リクエストデータに応答してユーザデータを提供し得る。ＯＴＴ接続ＱＱ５５０は、リクエストデータとユーザデータの両方を転送し得る。クライアントアプリケーションＱＱ５３２は、ユーザと対話して、提供するユーザデータを生成することができる。
【００９０】
図１３に示されるホストコンピュータＱＱ５１０、基地局ＱＱ５２０及びＵＥ  ＱＱ５３０は、それぞれ、図１２のホストコンピュータＱＱ４３０、基地局ＱＱ４１２ａ、ＱＱ４１２ｂ、ＱＱ４１２ｃのうちの１つ、及び、ＵＥ  ＱＱ４９１、ＱＱ４９２のうちの１つと同様又は同一であり得ることに留意されたい。つまり、これらのエンティティの内部動作は図１３の様になり、独立して、周囲のネットワークトポロジは図１２の様になり得る。
【００９１】
図１３において、ＯＴＴ接続ＱＱ５５０は、基地局ＱＱ５２０を介したホストコンピュータＱＱ５１０とＵＥ  ＱＱ５３０間の通信を示すために抽象的に描かれ、中間デバイスやこれらのデバイスを介したメッセージの正確なルーティングは明示されていない。ネットワークインフラストラクチャは、ルーティングを決定してもよく、ルーティングは、ＵＥ  ＱＱ５３０又はホストコンピュータＱＱ５１０を操作するサービスプロバイダ、又はその両方から隠す様に構成されてもよい。ＯＴＴ接続ＱＱ５５０がアクティブである間、ネットワークインフラストラクチャは、ルーティングを動的に変更する決定をさらに行うことができる（例えば、ネットワークの負荷分散の検討又は再構成に基づいて）。
【００９２】
ＵＥ  ＱＱ５３０と基地局ＱＱ５２０との間の無線接続ＱＱ５７０は、本開示を通して説明される実施形態の教示に従う。１つ以上の様々な実施形態は、無線接続ＱＱ５７０が最後のセグメントを形成するＯＴＴ接続ＱＱ５５０を使用して、ＵＥ  ＱＱ５３０に提供されるＯＴＴサービスの性能を改善する。より正確には、これらの実施形態の教示は、無線通信ネットワークを介したアップリンク／ダウンリンク通信に冗長性を提供し、それにより、信頼性の改善などの利点を提供し得る。
【００９３】
測定手順は、データレート、待ち時間、及び１つ以上の実施形態が改善される他の要因を監視する目的で提供されてもよい。さらに、測定結果の変動に応じて、ホストコンピュータＱＱ５１０とＵＥ  ＱＱ５３０との間のＯＴＴ接続ＱＱ５５０を再構成するためのオプションのネットワーク機能があり得る。ＯＴＴ接続ＱＱ５５０を再構成するための測定手順及び／又はネットワーク機能は、ホストコンピュータＱＱ５１０のソフトウェアＱＱ５１１及びハードウェアＱＱ５１５、ＵＥ  ＱＱ５３０のソフトウェアＱＱ５３１及びハードウェアＱＱ５３５、或いは、その両方で実装され得る。実施形態において、センサ（図示せず）は、ＯＴＴ接続ＱＱ５５０が通過する通信デバイス内に、又はそれに関連して配置され、センサは、上記で例示した監視量の値を提供するか、ソフトウェアＱＱ５１１、ＱＱ５３１が監視量を計算又は推定できる他の物理量の値を提供することにより、測定手順に参加できる。ＯＴＴ接続ＱＱ５５０の再構成には、メッセージ形式、再送信設定、優先ルーティングなどが含まれ、再構成は基地局ＱＱ５２０に影響を与えず、基地局ＱＱ５２０にとって未知又は感知できない可能性がある。そのような手順及び機能は、当技術分野で知られ実践されている場合がある。特定の実施形態において、測定は、スループット、伝播時間、待ち時間などのホストコンピュータＱＱ５１０の測定を容易にする独自のＵＥシグナリングを含み得る。測定は、ソフトウェアＱＱ５１１、ＱＱ５３１が、ＯＴＴ接続ＱＱ５５０を使用して、伝播時間、エラーなどを監視しながら、メッセージ、特に空又は「ダミー」メッセージを送信する様に実装できる。
【００９４】
図１４は、一実施形態による、通信システムで実施される方法を示すフローチャートである。通信システムは、ホストコンピュータ、基地局、及びＵＥを含み、それらは図１２及び１３を参照して説明されたものであり得る。本開示を単純化するために、図１４への参照図面のみがこのセクションに含まれる。ステップＱＱ６１０では、ホストコンピュータはユーザデータを提供する。ステップＱＱ６１０のサブステップＱＱ６１１（オプションであり得る）において、ホストコンピュータはホストアプリケーションを実行することによりユーザデータを提供する。ステップＱＱ６２０において、ホストコンピュータは、ユーザデータをＵＥに搬送する送信を開始する。ステップＱＱ６３０において、基地局は、本開示を通して説明される実施形態の教示に従って、ホストコンピュータが開始した送信で搬送されたユーザデータをＵＥに送信する。ステップＱＱ６４０（オプションであり得る）において、ＵＥは、ホストコンピュータによって実行されるホストアプリケーションに関連するクライアントアプリケーションを実行する。
【００９５】
図１５は、一実施形態による、通信システムで実施される方法を示すフローチャートである。通信システムは、ホストコンピュータ、基地局、及びＵＥを含み、それらは図１２及び１３を参照して説明されたものであり得る。本開示を単純化するために、図１５への参照図面のみがこのセクションに含まれる。この方法のステップＱＱ７１０において、ホストコンピュータはユーザデータを提供する。オプションのサブステップ（図示せず）では、ホストコンピュータはホストアプリケーションを実行することによりユーザデータを提供する。ステップＱＱ７２０において、ホストコンピュータは、ユーザデータをＵＥに搬送する送信を開始する。本開示を通して説明される実施形態の教示に従い、送信は、基地局を通過し得る。ステップＱＱ７３０（オプションであり得る）において、ＵＥは、送信で搬送されたユーザデータを受信する。
【００９６】
図１６は、一実施形態による、通信システムで実施される方法を示すフローチャートである。通信システムは、ホストコンピュータ、基地局、及びＵＥを含み、それらは図１２及び１３を参照して説明されたものであり得る。本開示を単純化するために、図１６への参照図面のみがこのセクションに含まれる。ステップＱＱ８１０（オプションであり得る）において、ＵＥは、ホストコンピュータにより提供されたデータを入力する。追加又は代替として、ステップＱＱ８２０で、ＵＥはユーザデータを提供する。ステップＱＱ８２０のサブステップＱＱ８２１（オプションであり得る）において、ＵＥはクライアントアプリケーションを実行することによりユーザデータを提供する。ステップＱＱ８１０のサブステップＱＱ８１１（オプションであり得る）において、ＵＥは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮し得る。ユーザデータが提供された特定の方法に関係なく、ＵＥは、サブステップＱＱ８３０（オプションであり得る）において、ホストコンピュータへのユーザデータの送信を開始する。方法のステップＱＱ８４０において、ホストコンピュータは、本開示を通して説明される実施形態の教示に従って、ＵＥから送信されたユーザデータを受信する。
【００９７】
図１７は、一実施形態による、通信システムで実施される方法を示すフローチャートである。通信システムは、ホストコンピュータ、基地局、及びＵＥを含み、それらは図１２及び１３を参照して説明されたものであり得る。本開示を単純化するために、図１７への参照図面のみがこのセクションに含まれる。ステップＱＱ９１０（オプションであり得る）において、本開示全体にわたって説明される実施形態の教示に従って、基地局はＵＥからユーザデータを受信する。ステップＱＱ９２０（オプションであり得る）において、基地局は、受信したユーザデータのホストコンピュータへの送信を開始する。ステップＱＱ９３０（オプションであり得る）において、ホストコンピュータは、基地局により開始された送信で搬送されたユーザデータを受信する。
【００９８】
本明細書で開示される任意の適切なステップ、方法、特徴、機能、又は利点は、１つ又は複数の仮想装置の１つ又は複数の機能ユニット又はモジュールを通じて実行され得る。各仮想装置は、これらの機能ユニットを幾つか備え得る。これらの機能ユニットは、１つ以上のマイクロプロセッサ又はマイクロコントローラを含み得る処理回路と、デジタル信号プロセッサ（ＤＳＰ）、専用デジタル論理などを含み得る他のデジタルハードウェアと、を含み得る。処理回路は、メモリに格納されたプログラムコードを実行する様に構成され、メモリは、読み取り専用メモリ（ＲＯＭ）、ランダムアクセスメモリ、キャッシュメモリ、フラッシュメモリデバイス、光ストレージデバイスなどの１つ以上のタイプのメモリを含み得る。メモリに格納されたプログラムコードは、１以上の通信及び／又はデータ通信プロトコルを実行するプログラム命令と、幾つかの実施形態においては、本明細書に記載された技術の一つ以上を実行するためのプログラム命令を含む。幾つかの実装形態において、処理回路は、本開示の１つ以上の実施形態による対応する機能を各機能ユニット実行させるために使用され得る。
【００９９】
上記開示からの参照を以下に示す。
・３ＧＰＰＴＳ３８．２１３Ｖ１５．０．０（２０１７−１２）、技術仕様グループ無線アクセスネットワーク；ＮＲ；制御のための物理層の手順（リリース１５）
・３ＧＰＰＴＳ３６．２１２Ｖ１４．１．１（２０１７−０１）、技術仕様グループ無線アクセスネットワーク；発展型汎用地上無線アクセス（Ｅ−ＵＴＲＡ）；多重化及びチャネルコーディング（リリース１４）
【０１００】
追加の定義及び実施形態を以下に開示する。
【０１０１】
本発明の概念の様々な実施形態の上記の説明において、本明細書で使用される用語は、特定の実施形態を説明することのみを目的とし、本発明の概念を限定することを意図しないことを理解されたい。他に定義されない限り、本明細書で使用されるすべての用語（技術的及び科学的用語を含む）は、本開示が属する技術分野の当業者によって一般に理解されるのと同じ意味を有する。さらに、一般的に使用される辞書で定義されている用語などの用語は、この仕様及び関連技術の文脈での意味と一致する意味を持つものとして解釈されるべきであり、本明細書で明確にその様に定義された、理想化された又は過度に形式的な意味で解釈されないことが理解される。
【０１０２】
要素が別の要素に"接続されている"、"結合されている"、"応答する"、又はその変形であると参照されている場合、他の要素に直接的に接続、結合、又は応答することができ、或いは、介在する要素が存在してもよい。対照的に、要素が別の要素に対して"直接接続"、"直接結合"、"直接応答"、又はそれらの変形で参照されている場合、介在する要素は存在しない。全体を通して、同様の参照符号は同様の要素を示す。さらに、本明細書で使用される"結合された"、"接続された"、"応答する"、又はその変形は、無線で結合される、接続される、又は応答することを含み得る。単数形式は、文脈が明らかに他の場合を示している場合を除き、複数形式を含むことが意図される。周知の機能又は構造は、簡潔さ及び／又は明瞭さのために詳細に説明されない場合がある。"及び／又は"という用語は、関連する列挙された用語の１つ又は複数のありとあらゆる組み合わせを含む。
【０１０３】
本明細書では、第１、第２、第３などの用語を使用して様々な要素／動作を説明することができるが、これらの要素／動作はこれらの用語によって限定されるべきではないことが理解されよう。これらの用語は、ある要素／動作と別の要素／動作を区別するためにのみ使用される。したがって、幾つかの実施形態における第１の要素／動作は、本発明の概念の教示から逸脱することなく、他の実施形態における第２の要素／動作と呼ぶことができる。同じ参照番号又は同じ参照符号は、本明細書全体を通して同じ又は類似の要素を示す。
【０１０４】
本明細書で使用される場合、"備える"、"含む"、"有する"又はそれらの変形は、オープンエンドであり、１つ以上の述べられた特徴、整数、要素、ステップ、コンポーネント又は機能を含むが、１つ以上の他の特徴、整数、要素、ステップ、コンポーネント、関数又はそれらのグループの存在又は追加を排除しない。さらに、本明細書で使用される様に、ラテン語の"例示的"から派生した一般的な略語"ｅ．ｇ．"は、前述の項目の一般的な例を紹介又は指定するために使用され、そのような項目に限定することを意図していない。ラテン語の"ｉｄｅｓｔ"に由来する一般的な略語"ｉ．ｅ．"は、より一般的な引用から特定の項目を指定するために使用される。
【０１０５】
例示的な実施形態は、コンピュータで実施される方法、装置（システム及び／又はデバイス）及び／又はコンピュータプログラム製品のブロック図及び／又はフローチャート図を参照して本明細書で説明される。ブロック図及び／又はフローチャートのブロック、ならびにブロック図及び／又はフローチャートにおけるブロックの組み合わせは、１つ又は複数のコンピュータ回路によって実行されるコンピュータプログラム命令によって実現され得ることが理解される。これらのコンピュータプログラム命令は、汎用コンピュータ回路、専用コンピュータ回路、及び／又は他のプログラム可能なデータ処理回路のプロセッサ回路に提供されてマシンが生成され、コンピュータのプロセッサ及び／又は他のプログラム可能なデータ処理装置を介して実行される命令、トランジスタ、メモリ位置に格納された値、ブロック図及び／又はフローチャートのブロックで指定された機能／動作を実現するためのそのような回路内の他のハードウェアコンポーネントを変換及び制御し、それにより、ブロック図及び／又はフローチャートのブロックで指定された機能／動作を実現するための手段（機能）及び／又は構造を作成する。
【０１０６】
これらのコンピュータプログラム命令は、また、コンピュータ又は他のプログラム可能なデータ処理装置が特定の方法で機能する様に命令できる有形のコンピュータ可読媒体に格納されてもよく、その結果、コンピュータ可読媒体に格納された命令は、ブロック図及び／又はフローチャートのブロックで指定された機能／動作を実現する命令を含む製品を生産する。したがって、本発明の概念の実施形態は、デジタル信号プロセッサなどのプロセッサ上で実行されるハードウェア及び／又はソフトウェア（ファームウェア、常駐ソフトウェア、マイクロコードなどを含む）で実施することができ、まとめて"回路"、"モジュール"、又はその変形としても参照され得る。
【０１０７】
また、幾つかの代替実装では、ブロックに記載されている機能／動作が、フローチャートに記載されている順序とは異なる順序で発生する場合があることにも注意されたい。例えば、関連する機能／動作に応じて、連続して示されている２つのブロックが実際には実質的に同時に実行されてもよく、あるいはブロックが逆の順序で実行されてもよい。さらに、フローチャート及び／又はブロック図の所与のブロックの機能は、複数のブロックに分離される、及び／又は、フローチャート及び／又はブロック図の２つ以上のブロックの機能は、少なくとも部分的に統合され得る。最後に、他のブロックを、図示されているブロックの間に追加／挿入することができ、及び／又は発明の概念の範囲から逸脱することなく、ブロック又は動作を省略することができる。さらに、幾つかの図は、通信の主要な方向を示すために通信経路上に矢印を含んでいるが、通信は、描かれた矢印とは反対の方向で起こり得ることを理解されたい。
【０１０８】
本発明の概念の原理から実質的に逸脱することなく、実施形態に対して多くの変更及び修正を行うことができる。そのようなすべての変形及び修正は、本発明の概念の範囲内で本明細書に含まれることが意図されている。したがって、上記で開示された主題は、限定的ではなく例示的であると見なされるべきであり、添付の実施形態の例は、本発明の概念の精神及び範囲内にあるすべてのそのような修正、強化、及び他の実施形態をカバーすることを意図する。したがって、法律で許可される最大限の範囲で、本発明の概念の範囲は、以下の実施形態の例及びその等価物を含む本開示の最も広い許容可能な解釈によって決定されるべきであり、前述の詳細な説明によって制限又は限定されない。
【図１】
2021520672.tif 000004
【図２Ａ】
2021520672.tif 000005
【図２Ｂ】
2021520672.tif 000006
【図３】
2021520672.tif 000007
【図４Ａ】
2021520672.tif 000008
【図４Ｂ】
2021520672.tif 000009
【図５】
2021520672.tif 000010
【図６Ａ】
2021520672.tif 000011
【図６Ｂ】
2021520672.tif 000012
【図６Ｃ】
2021520672.tif 000013
【図６Ｄ】
2021520672.tif 000014
【図６Ｅ】
2021520672.tif 000015
【図７】
2021520672.tif 000016
【図８】
2021520672.tif 000017
【図９】
2021520672.tif 000018
【図１０】
2021520672.tif 000019
【図１１】
2021520672.tif 000020
【図１２】
2021520672.tif 000021
【図１３】
2021520672.tif 000022
【図１４】
2021520672.tif 000023
【図１５】
2021520672.tif 000024
【図１６】
2021520672.tif 000025
【図１７】
2021520672.tif 000026
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
ネットワークノード（９００）と通信する無線端末（８００）を動作させる方法であって、
物理ダウンリンク制御チャネル（ＰＤＣＣＨ）オーダを前記ネットワークノード（９００）から受信（１００１）することであって、前記ＰＤＣＣＨオーダは、ランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記受信（１００１）することと、
前記ＰＤＣＣＨオーダに応答して、前記ＲＡＣＨ機会を使用してメッセージ１プリアンブルを前記ネットワークノード（９００）に送信（１００３）することと、
を含む、方法。
【請求項２】
請求項１に記載の方法であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、方法。
【請求項３】
請求項２に記載の方法であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、方法。
【請求項４】
請求項１から３のいずれか１項に記載の方法であって、
前記識別は、前記ＰＤＣＣＨオーダを介して搬送されるダウンリンク制御情報（ＤＣＩ）で提供される、方法。
【請求項５】
請求項１から４のいずれか１項に記載の方法であって、
前記メッセージ１プリアンブルは、ランダムアクセス手順のために送信され、
前記方法は、さらに、前記メッセージ１プリアンブルを送信した後、前記ランダムアクセス手順のメッセージ２ランダムアクセス応答を前記ネットワークノード（９００）から受信（１００５）することを含む、方法。
【請求項６】
請求項５に記載の方法であって、さらに、
前記メッセージ２ランダムアクセス応答を受信することに応答して、アップリンクチャネルで前記ランダムアクセス手順のためのメッセージ３を前記ネットワークノード（９００）に送信（１００７）することを含む、方法。
【請求項７】
請求項１から６のいずれか１項に記載の方法であって、
前記メッセージ１プリアンブルは、前記第１インデクス及び前記第２インデクスにより示される前記ＲＡＣＨ機会を使用して送信される、方法。
【請求項８】
請求項１から７のいずれか１項に記載の方法であって、
前記第１インデクスは、ＲＡＣＨ構成期間内の複数の時間リソースの内の時間リソースを示す、方法。
【請求項９】
無線端末（８００）と通信するネットワークノード（９００）を動作させる方法であって、
物理ダウンリンク制御チャネル（ＰＤＣＣＨ）オーダを前記無線端末（８００）に送信（１１０１）することであって、前記ＰＤＣＣＨオーダは、前記無線端末からのランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記送信（１１０１）することと、
前記無線端末（８００）から前記ＲＡＣＨ機会を使用するメッセージ１プリアンブルを受信（１１０３）することと、
を含む方法。
【請求項１０】
請求項９に記載の方法であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示す、方法。
【請求項１１】
請求項１０に記載の方法であって、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、方法。
【請求項１２】
請求項９から１１のいずれか１項に記載の方法であって、
前記識別は、前記ＰＤＣＣＨオーダを介して搬送されるダウンリンク制御情報（ＤＣＩ）で提供される、方法。
【請求項１３】
請求項９から１２のいずれか１項に記載の方法であって、
前記メッセージ１プリアンブルは、ランダムアクセス手順のために受信され、
前記方法は、さらに、前記メッセージ１プリアンブルを受信することに応答して、前記ランダムアクセス手順のメッセージ２ランダムアクセス応答を前記無線端末（８００）に送信（１１０５）することを含む、方法。
【請求項１４】
請求項１３に記載の方法であって、さらに、
前記メッセージ２ランダムアクセス応答を送信した後、アップリンクチャネルで前記ランダムアクセス手順のためのメッセージ３を前記無線端末（８００）から受信（１１０７）することを含む、方法。
【請求項１５】
ネットワークノード（９００）と通信する様に構成された無線端末（８００）であって、
物理ダウンリンク制御チャネル（ＰＤＣＣＨ）オーダを前記ネットワークノード（９００）から受信することであって、前記ＰＤＣＣＨオーダは、ランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記受信することと、
前記ＰＤＣＣＨオーダに応答して、前記ＲＡＣＨ機会を使用してメッセージ１プリアンブルを前記ネットワークノード（９００）に送信することと、
を実行する様に構成されている、無線端末。
【請求項１６】
請求項１５に記載の無線端末（８００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示し、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、無線端末。
【請求項１７】
請求項１５又は１６に記載の無線端末（８００）であって、
前記識別は、前記ＰＤＣＣＨオーダを介して搬送されるダウンリンク制御情報（ＤＣＩ）で提供される、無線端末。
【請求項１８】
請求項１５から１７のいずれか１項に記載の無線端末（８００）であって、
前記メッセージ１プリアンブルは、ランダムアクセス手順のために送信され、
前記無線端末（８００）は、さらに、
前記メッセージ１プリアンブルを送信した後、前記ランダムアクセス手順のメッセージ２ランダムアクセス応答を前記ネットワークノード（９００）から受信し、
前記メッセージ２ランダムアクセス応答を受信することに応答して、アップリンクチャネルで前記ランダムアクセス手順のためのメッセージ３を前記ネットワークノード（９００）に送信する様に構成される、無線端末。
【請求項１９】
無線端末（８００）と通信する様に構成されたネットワークノード（９００）であって、
物理ダウンリンク制御チャネル（ＰＤＣＣＨ）オーダを前記無線端末（８００）に送信することであって、前記ＰＤＣＣＨオーダは、前記無線端末からのランダムアクセスチャネル（ＲＡＣＨ）メッセージ１プリアンブル送信に使用されるＲＡＣＨ機会の識別を含み、前記識別は、ＲＡＣＨ機会のセットを示す第１インデクスと、前記セットに関連付けられている前記ＲＡＣＨ機会を示す第２インデクスと、を含む、前記送信することと、
前記無線端末（８００）から前記ＲＡＣＨ機会を使用するメッセージ１プリアンブルを受信することと、
を実行する様に構成される、ネットワークノード。
【請求項２０】
請求項１９に記載のネットワークノード（９００）であって、
前記第１インデクスは、同期信号ブロック（ＳＳＢ）インデクスであり、前記ＳＳＢインデクスは、前記ＳＳＢインデクスに関連付けられているＲＡＣＨ機会のセットを示し、
前記第２インデクスは、ＲＡＣＨ機会（ＲＯ）インデクスであり、前記ＲＯインデクスは、前記ＳＳＢインデクスにより示されるＲＡＣＨ機会の前記セットに関連付けられている前記ＲＡＣＨ機会を示す、ネットワークノード。
【請求項２１】
請求項１９又は２０に記載のネットワークノード（９００）であって、
前記識別は、前記ＰＤＣＣＨオーダを介して搬送されるダウンリンク制御情報（ＤＣＩ）で提供される、ネットワークノード。
【請求項２２】
請求項１９から２１のいずれか１項に記載のネットワークノード（９００）であって、
前記メッセージ１プリアンブルは、ランダムアクセス手順のために受信され、
前記ネットワークノード（９００）は、さらに、
前記メッセージ１プリアンブルを受信することに応答して、前記ランダムアクセス手順のメッセージ２ランダムアクセス応答を前記無線端末（８００）に送信し、
前記メッセージ２ランダムアクセス応答を送信した後、アップリンクチャネルで前記ランダムアクセス手順のためのメッセージ３を前記無線端末（８００）から受信する様に構成される、ネットワークノード。
【国際調査報告】
2021520672.tif 000027
2021520672.tif 000028
2021520672.tif 000029